Podtech/llm-jp-corpus-v4-ja_patent huggingface dataset:
(57)【要約】【課題】  微小な径を有する合成樹脂発泡ビーズを枕側体に充填した従来の枕は、接触したときのマシュマロ感、包接感などが好まれ愛用されている。本考案はこの好感触を保持しながら、体臭、ＶＯＣなどの不快臭有害ガスを吸収除去しようとするものである。微小な径を有する合成樹脂発泡ビーズを枕側体に充填した従来の枕は、復元性に欠けることのほかに、長期の使用でビーズがへたるためビーズの偏在や床つきがおこるなどの欠点がある。【解決手段】  本考案は、微小な径を有する合成樹脂発泡ビーズに、竹炭で表面をコーティングした微小径の合成樹脂発泡ビーズおよび反発性復元性に富む軟質合成樹脂スポンジの破砕物を併用するとともに、充填物の偏在をおさえるため、枕側体の長手方向中央部を枕長の三分の一から二分の一の長さに亘って側体表裏を縫接した構造とする。【選択図】図１
0003140571.tif 000002
【実用新案登録請求の範囲】
【請求項１】
主たる詰め物としての微小な径を有する球状の合成樹脂発泡ビーズと、細かく砕いた軟質発泡体を混合し枕側体の内部に充填したことを特徴とする枕。
【請求項２】
微小な径を有する球形の合成樹脂発泡ビーズは、ビーズ個々の外表面全体に竹炭がコーティングされた竹炭コーティングビーズを含むことを特徴とする請求項１記載の枕。
【請求項３】
枕側体の中央部の長手方向に枕長寸法の概二分の一の長さに亘って、側体表裏を縫接した形状を特徴とする請求項１請求項２記載の枕。
【考案の詳細な説明】
【技術分野】
【０００１】  本考案は、長期にわたって、頭、頚部をソフトに支え、かつ消臭機能および遠赤外放射機能を有する枕に関するものである。
【背景技術】
【０００２】  微小な径を有する合成樹脂発泡ビーズを枕側体に充填した枕、微小な径を有する合成樹脂発泡ビーズとわたを予め混ぜ合わせ、枕側体に充填した枕があった。
【考案の開示】
【考案が解決しようとする課題】
【０００３】  微小な径を有する合成樹脂発泡ビーズを枕側体に充填した従来の枕は、接触したときのマシュマロ感、包接感などが好まれ愛用されている。本考案はこの好感触を保持しながら、体臭、呼気臭の不快臭はじめＶＯＣなどを吸収除去しようとするものである。【０００４】  微小な径を有する合成樹脂発泡ビーズを枕側体に充填した従来の枕は、復元性に欠けることに加えて長期の使用でビーズがへたるためビーズの偏在や床つきがおこるなどの欠点がある。
【課題を解決するための手段】
【０００５】  本考案は、微小な径を有する合成樹脂発泡ビーズに、竹炭で表面をコーティングした微小径の合成樹脂発泡ビーズおよび反発性復元性に富む軟質合成樹脂スポンジの破砕物を併用する。【０００６】  さらにいかなる使用状況にもよらず充填物の偏在をおさえるため、枕側体の長手方向中央部を枕長の三分の一から二分の一の長さに亘って側体表裏を縫接した構造とする。
【考案の効果】
【０００７】  上述のように、竹炭をコーティングした微小径の合成樹脂発泡ビーズを用いることにより、様ざまな不快臭や有害ガスを吸収除去する枕となり、軟質合成樹脂スポンジの破砕物併用および枕側体の形状により、反発性復元性があり且つ床つき現象のない安眠快適枕となる。
【考案を実施するための最良の形態】
【０００８】  微小径の合成樹脂発泡ビーズとして直径が１ミリから３ミリの発泡スチロール、同じ発泡スチロールビーズの外表面に竹炭微粉末と樹脂バインダーから成る皮膜を形成したビーズ、軟質発泡ウレタンを粉砕機で２ミリから６ミリ、平均約４ミリの大きさに粉砕したウレタンチップを、それぞれ同体積に混合したものを枕側体に吹込み充填する。枕側体は、伸縮性のある布地で中央部分を枕の全長の約三分の一から二分の一の長さに亘って表裏を縫接したものである。
【実施例】
【０００９】  以下、添付図面に従って一実施例を説明する。１は伸縮性の布地でつくられた枕本体、２は直径が平均１．５ミリの発泡スチロールビーズ、３は直径が平均１．５ミリの発泡スチロールビーズの外表面に竹炭微粉末と樹脂バインダーから成る皮膜を形成したビーズ、４は軟質発泡ウレタンを粉砕機で２ミリから６ミリ、平均約４ミリの大きさに粉砕したウレタンのチップで２，３および４は概ね同じ体積割合で混合されたものである。【００１０】  ２，３および４の混合割合は消臭を重視するときは３の比率を高め、反発性復元性の度合いをを求めるときは４の比率を多くすることによって枕機能の調整をする。
【図面の簡単な説明】
【００１１】
【図１】  本考案の枕本体の外観図である。
【図２】  枕側体に充填される充填物の集合体の図面である。
【符号の説明】
【００１２】１  枕本体
２  微小径の合成樹脂発泡ビーズ
３  竹炭を含む膜が表面に形成された微小径の合成樹脂発泡ビーズ
４  軟質発泡樹脂の粉砕チップ
【図１】
0003140571.tif 000003
【図２】
0003140571.tif 000004
(57)【要約】      （修正有）【課題】ポリタンクが経年劣化しても機能すること、複雑な操作なしに扱えること、複数個のポリタンクを連結できることなどが全て出来る転倒防止具付きポリタンクを提供する。【解決手段】面ファスナー２をポリタンク１の両側面中央にシリコン樹脂３にて固着し、面ファスナー２にて隣接するポリタンク１を接離可能に連結するようにした。【選択図】図１
0003140579.tif 000002
【実用新案登録請求の範囲】
【請求項１】
面ファスナ（２）をポリタンク（１）の両側面中央にシリコン樹脂（３）にて固着し、該面ファスナ（２）にて隣接するポリタンク（１）を接離可能に連結するようにした転倒防止具付きポリタンク。
【考案の詳細な説明】
【技術分野】
【０００１】
本考案は、灯油や飲料水等を収容するポリタンクの転倒を防止するための転倒防止具を備えたポリタンクに関する物である。
【背景技術】
【０００２】
従来より、灯油や飲料水等の運搬や保管に際しては、１８リットル程度の容量のポリタンクが多用されている。上記ポリタンクに例えば灯油を入れて車両のトランクルームに収容して運搬することが一般に行われているが、この場合、運搬中にポリタンクが転倒して灯油が漏れる等、安全性に問題があった。また、キャンプ等にて飲料水を入れたポリタンクを車で運搬する際にも、当該ポリタンクが転倒して飲料水が漏れる事態が発生している。
【０００３】
古くなったポリタンクは購入当時に比べると経年変化で側面中央が膨らんでいく傾向がある。そのためポリタンク自体の形状を工夫して転倒防止策を施しても、経年劣化によりうまく機能しないことが起きていた。また灯油の運搬の場合、寒い場所での作業となるので、軍手や厚手の手袋をした状態で行うことになる。このため複雑な着脱構造では、作業効率が低下していた。
【０００４】
本考案者は、上記の問題を解決することの出来る転倒防止策としてポリタンク側面中央部に面ファスナを配することを考案した。しかしながらポリタンクの原料となっているポリエチレンは、接着剤を使用すると化学変化を起こし材質の変化や劣化の原因となる。また、両面テープによる接着もポリタンクの耐用年数５年を保つことが出来なかった。その他にも、灯油を運搬する用途で使用する場合、灯油が付着することで面ファスナが剥がれてしまう問題があった。
【特許文献１】特開平８−５３１３６号公報
【特許文献２】実開平５−４４８１３号公報
【考案の開示】
【考案が解決しようとする課題】
【０００５】
この考案は上記問題点を解決するために簡単な構造にてポリタンクの転倒を防止することが出来ること、またポリタンクが経年劣化しても機能すること、複雑な操作なしに扱えること、複数個のポリタンクを連結できることなどの問題点が全て解決出来る転倒防止具付きポリタンクを提供することを目的とする。
【課題を解決するための手段】
【０００６】
本考案は、請求項１記載のように、面ファスナー２をポリタンク１の両側面中央にシリコン樹脂３にて固着し、該面ファスナ２にて隣接するポリタンク１を接離可能に連結するようにしたものである。
【考案の効果】
【０００７】
本考案の転倒防止具付きポリタンクを用いれば、連続的に並列に配置した複数個のポリタンクを相互に面ファスナで連結して転倒を防止することができるので転倒によって内容物が漏出することを防ぐことができる。また輸送時に限らず、保管している時にもこの発明は効果を有しており、衝突して力が加わっても、連結しているので容易には倒れることはない。しかもポリタンクに直接、面ファスナをシリコン樹脂で固着するというものであるため構造簡素で製造コストが非常に安価なものとなる。
【０００８】
即ち、この考案は、灯油等の運搬に際しては、一度に複数個のポリタンクを使用するケースが大半である点に着目し、これらポリタンクを相互に連結することにより、その転倒を防止するようにしたものである。車の揺れによるポリタンクへの力のベクトルは一方方向なため、転倒する多くのケースが将棋倒しによって起こる。面ファスナーはその性質上ずらすことは容易ではないためポリタンクの将棋倒しを効果的に防ぐことができる。しかも着脱は複雑な操作は必要なく、ポリタンク中央の面ファスナ同士を合わせれば連結し、引き剥がせば分離も簡単に行える。また経年劣化により一番形状の変化の著しいポリタンクの中央側面が膨らんできても面ファスナの接着面が接合出来る。また、２缶以上何缶でも連結可能である。そしてシリコン樹脂で接着したので灯油が面ファスナに付着しても簡単に剥がれてしまうことはない。
【考案を実施するための最良の形態】
【０００９】
本考案は、ポリエチレン製のポリタンクが経年劣化で中央側面部が膨らむなど形状変化著しいポリタンクの特性に着目して為されたものであって、面ファスナをポリタンクの両側面中央にシリコン樹脂にて固着し、この面ファスナで複数のポリタンクを連続的に連結し、車両のトランクルームなどに収容したときの転倒防止を図ったものである。
【実施例】
【００１０】
以下この発明の実施例について、添付図面を参照しながら詳述する。図１は、本発明の転倒防止具となる面ファスナ２をポリタンク１の両側面中央にシリコン樹脂３で固着したポリタンク１を示し、図２はそのポリタンク１を連続的に面ファスナ２で連結した状態を示したものである。すなわちフック状のオスの面ファスナ２ａをポリタンクの一方の側面中央にシリコン樹脂３で固着し、他方の側面中央に胞子状のメスの面ファスナ２ｂをシリコン樹脂３で固着したものである。そして図２のようにポリタンクを同方向に並べてこの面ファスナ同士を接着することによりポリタンクが連結されて転倒が防止されることになる。
【００１１】
また面ファスナ２及びシリコン樹脂はポリタンクと色を変えて目立つようにして注意を促したり、ファッション性を高めたりすることも出来る。
【図面の簡単な説明】
【００１２】
【図１】転倒防止具付きポリタンクの正面図及び側面図である。
【図２】転倒防止具付きポリタンクを連続して連結した状態図である。
【符号の説明】
【００１３】
１    ポリタンク
２    面ファスナ
２ａ  面ファスナのオス面
２ｂ  面ファスナのメス面
３    シリコン樹脂
【図１】
0003140579.tif 000003
【図２】
0003140579.tif 000004
(57)【要約】      （修正有）【課題】アール状刃体部にレーキを装着した除草器具を提供する。【解決手段】アール状刃体２の両サイドにレーキ１をネジ４で装着し、アール状刃体２を柄７に差込み、口金５と鋲６で固定する。柄７にレーキを留めておくフック付コイル状バネを装着しても良い。【選択図】図１
0003140574.tif 000002
【実用新案登録請求の範囲】
【請求項１】
アール状刃体の除草器具にレーキを装着したことを特徴としうるレーキ付除草器具。
【考案の詳細な説明】
【０００１】  本考案はアール状の刃体に、上下に作動するレーキを装着した除草器具に関するものである。
【背景技術】
【０００２】  従来アール状刃体の刃の反対側に、ノコギリ状のギザ刃を設けた除草器具はあった。
【考案の開示】
【考案が解決しようとする課題】
【０００３】  それがために次のような問題点があった。
（イ）草を削りと取った後に刃体を  回転してギザ刃で草を集めていたが、きれいに草が集まらず、作業効率が極端に悪かった。
（ロ）また、一度に草を削る、集めるという連続的な作業はできなかった。
本考案はこれらの問題点を解決するためになされたものである。
【課題を解決するための手段】
【０００４】  アール状刃体の両サイドに爪が複数個ついたレーキを装着する。レーキを刃体に固定せずに、取り付け部分にあそびをを持たせる。また、レーキを使用しないときは上に上げて固定する。これには立って作業する柄の長いものと、かがんで作業する柄の短いものの二種類がある。
【考案の効果】
【０００５】  刃体を回転せず草を削り取ると同時に草を集めるという連続的動作ができるので、早くきれいに除草ができる。また、レーキを刃体に固定しないので除草に負荷がかからない。また、レーキが上下に自由に作動するので小石や草が挟まらない。
【考案を実施するための最良の形態】
【０００６】  以下本考案の実施の形態について説明する。
（イ）アール状刃体（２）の両サイドにレーキ（１）をネジ（４）で装着し、アール状刃体（２）を柄（７）に差込み、口金（５）と鋲（６）で固定する。柄（７）にレーキを留めておくフック付コイル状バネを装着しても良い。
使い方は、従来の物と同じで刃体を草の根に刺し込み手前に引くように使用する。
【図面の簡単な説明】
【０００７】
【図１】  本考案の斜視図
【図２】  従来のギザ刃の斜視図
【図３】  本考案の平面図
【符号の説明】
【０００８】１  レーキ
２  アール状刃体
３  刃
４  ネジ
５  口金
６  鋲
７  柄
８  ギザ刃
【図１】
0003140574.tif 000003
【図２】
0003140574.tif 000004
【図３】
0003140574.tif 000005
(57)【要約】      （修正有）【課題】自動車内の椅子に被せる、あるいは床に敷く、帯電した静電気を逃がすマットを提供する。【解決手段】布および化学スポンジ様な物質からなるマットの内側に、シガーライタープラグ（オス形状）４の接地側が導電性金属線５にて繋がれている導電性金属網３を挟み込む。このシガーライタープラグ（オス形状）を、自動車に具備されたシガーライターソケット（メス形状）６に挿入し、お互いの接地極を通じ、人やペットに帯電した静電気をグラウンドへ逃す。【選択図】図１
0003140576.tif 000002
【実用新案登録請求の範囲】
【請求項１】
自動車内に既設されたシガーライターソケット（メス形状）の接地極を利用し、自動車内の椅子ないし床に坐した、人或いはペットに帯電した静電気を逃すマット。
【考案の詳細な説明】
【技術分野】
【０００１】本考案は、自動車内の椅子に被せる、或いは床に敷く、帯電した静電気を逃すマットに関するものである。
【背景技術】
【０００２】自動車内にあっては、乗っている人やペットに静電気が帯電すると、乗り物酔いを引き起こし易くなり、且つ、髪や毛あるいは衣類が逆立つ。
【考案の開示】
【考案が解決しようとする課題】
【０００３】自動車内にあっては、特に空気の乾燥している時期に、人やペットに静電気が帯電し、以って乗り物酔いをし易くなり、且つ、髪や毛が逆立ち不愉快な思いをした。従って、導電性金属網を包含した椅子カバーないし床マットから、導電性金属線を通じ、更にシガーライタープラグ４（オス形状）の接地極と、自動車に具備されているシガーライターソケット６（メス形状）の接地極を接触させることにより、帯電した静電気をグラウンドへ逃そうとするものである。
【課題を解決するための手段】
【０００４】本考案は、柔軟性をもった導電性金属網３を、導電性の比較的高い布地１、及び裏地２にて挟み込み、椅子ないし床のマットとし、此の上に坐した人ないしペットに帯電した静電気を集める。【０００５】上述のようにして集めた静電気を、導電性金属網３から延びた導電性金属線５およびシガーライタープラグ４（オス形状）の接地極と、自動車内に具備された、シガーライターソケット６（メス形状）の接地極を互いに接触させることによりグラウンドへ逃すものである。
【考案の効果】
【０００６】自動車内に乗っている人或いはペットに、静電気が帯電しなくなると、帯電している時と比べ、乗り物酔いを起こしにくくなり、且つ、髪や毛が逆立つことも無くなる。
亦、帯電したまま、他の電位の異なる物質に触れると、不意に火花の発生を感じ不快な思いをすることがあるが、このような事態も経験しなくなる。
【考案を実施するための最良の形態】
【０００７】導電性金属網３の網目は、帯電した静電気を充分に集めうる細かさであり、導電性金属網とシガーライタープラグ４の陰極（オス形状）とを結ぶ導電性金属線５は、その抵抗が充分に低くなるような太さと長さをもったものであること。【０００８】表側布地１は、触ることがあっても不愉快な感触を抱かず、裏地２は、化学スポンジ様の材質で、自動車の椅子ないし床から滑りにくい物が好もしい。
【実施例】
【０００９】マットの上部を折り返し、この部分の左右夫々を面ファスナーないしゴム帯７にて互いに繋ぐことにより、椅子に取り付ける場合、椅子の上部にある、ヘッドレストに被せると、取りつけが容易となり、且つ滑り落ちにくい。【００１０】もとより不要であり、且つ誤作動を防ぐために、シガーライタープラグ（オス形状）の、加熱コイルは除去しておく。【００１１】シガーライタープラグ（オス形状）４を、シガーライターソケット（メス形状）６へ挿入し、マット部に溜まった静電気を、シガーライターソケット（メス形状）の接地極を介し、グラウンドへ逃がす。
【図面の簡単な説明】
【００１２】
【図１】本考案の、一部切り欠き立体図
【図２】本考案マット部の一部断面図
【符号の説明】
【００１３】１  表側布地
２  裏地
３  導電性金属網
４  シガーライタープラグ（オス形状）
５  導電性金属線
６  自動車に具備されたシガーライターソケット（メス形状）
７  ゴム帯
【図１】
0003140576.tif 000003
【図２】
0003140576.tif 000004
(57)【要約】      （修正有）【課題】石鹸を早く乾かす事ができるソープディッシュ、ネットカバーを提供する。【解決手段】ネットカバーをソープディッシュに被せて、その上に濡れている石鹸を置く事により、石鹸が早く乾き、清潔で衛生的、小さくなるまでベトベトにならず、使用する事ができます。【選択図】図１
0003140580.tif 000002
【実用新案登録請求の範囲】
【請求項１】
ソープディッシュにネットカバーを被せて、濡れている石鹸の水はけや石鹸を早く乾かす事の出来るソープディッシュ・ネットカバーです。
【考案の詳細な説明】
【技術分野】
【０００１】  本考案は、ソープディッシュに被せて使用するものです。
【背景技術】
【０００２】  従来、石鹸を使用して水気をよく切ってソープディッシュの上に置いたつもりでも、なかなか石鹸の下部（底面）まで乾いていませんでした。又、長時間濡れたままの状態だと、石鹸が溶けて使おうとする時、ベトベトになっていました。
【考案の開示】
【考案が解決しようとする課題】
【０００３】  ソープディッシュをこまめに洗わないと、使用した石鹸がすぐにべとべとになる。
手抜きは禁物で精神的、時間的、労働的負担である。従って、ネットカバーの上に置く事により前述の欠点を解決しようとするものである。
【課題を解決するための手段】
【０００４】  本考案は、ソープディッシュにネットカバーを被せ濡れている石鹸を早く乾かす事により問題点を解決しています。
【考案の効果】
【０００５】  上述の様に、本考案のソープディッシュ・ネットカバーは濡れている石鹸を早く乾かす事ができ、石鹸が小さくなるまでべとべとにならず清潔で衛生的です。
【考案の実施するための最良の形態】
【０００６】  以下、考案の実地の形態を図１〜図４に基づいていて説明します。
【０００７】  図においては、１は水切れが良く乾きが早いポリエチレンのネットを、２はソープディッシュ、３はいろいろな器に被せやすいよう底の部分はゴムにしました。
【図面の簡単な説明】
【０００８】
【図１】    本案の表面の斜視図
【図２】    本案の底（裏面）の斜視図
【図３】    本案をソープディッシュに被せた時の図
【図４】    本案をソープディッシュに被せ、石鹸を上に置いた時の図
【符号の説明】
【０００９】    １、ポリエチレンのネット    ２、ソープディッシュ    ３、ゴム
４、飾りチュール    ５、石鹸
【図１】
0003140580.tif 000003
【図２】
0003140580.tif 000004
【図３】
0003140580.tif 000005
【図４】
0003140580.tif 000006
(57)【要約】      （修正有）【課題】骨つぼ本体と蓋との係合部より、骨つぼ内部に湿気が入らないようにする。【解決手段】骨つぼ本体１と蓋２との係合部の嵌合精度は従来どおりとした上で、骨つぼ本体と蓋との係合部を夫々斜状とし、双方の係合部間に板状で且つリング状のパッキン５またはＯリングを介在させ、内部に湿気を呼び込まないようにする。【選択図】図１
0003140572.tif 000002
【実用新案登録請求の範囲】
【請求項１】
骨つぼ本体と蓋との係合部を夫々斜状とし、当該双方の係合部間に板状で且つリング状のパッキンまたはＯリングを介在せしめてなる骨つぼ。
【考案の詳細な説明】
【技術分野】
【０００１】  本考案は、故人の遺骨を納骨する骨つぼ、特に骨つぼ本体と蓋との係合部の改良に関するものである。
【背景技術】
【０００２】  従来より骨つぼは陶磁器製の蓋付容器が一般的であるが、骨つぼ内部に雨露が入ること、湿気を呼び込むことが嫌われている。【０００３】  一方、陶磁器製の骨つぼにあっては、蓋を骨つぼ本体に嵌着する構造または蓋を骨つぼ本体に冠着する構造があるが、いずれの構造においても、焼き物であることから焼き歪み等の問題もあり、蓋と本体の係合部に嵌合精度を求めることには困難であった。【０００４】  そのようなことから、骨つぼ内部に湿気が入り、結露による水がつぼの底に溜まるという問題があった。【０００５】  結露とは、水分を含んだ空気が表面温度の低い物体に接触し、その部分で露点温度以下まで冷却され、そこで水分を凝縮、露を結ぶか、ぬれを生ずる現象を言うが、例えば、温度２０℃・湿度５０％の室内における露点温度は、９．６℃であり、壁や窓などの表面が、９．６℃以下の場所で結露が発生するのだが、骨つぼ内部の湿気を軽減すれば結露の発生も抑制できる。
【考案の開示】
【考案が解決しようとする課題】
【０００６】  解決しようとする問題点は、骨つぼ本体と蓋との係合部より、骨つぼ内部に湿気が入らないようにすることである。
【課題を解決するための手段】
【０００７】  本考案は、骨つぼ本体と蓋との係合部の嵌合精度は従来どおりとした上で、内部に湿気を呼び込まないようにすること、これらが課題を解決するための手段である。
【考案の効果】
【０００８】  従来は骨つぼ本体と蓋との係合部の嵌合精度は悪く、当該係合部より骨つぼ内部に湿気が入ることを防げなかったが、本考案では、骨つぼ本体と蓋との係合部を夫々斜状とし、当該双方の係合部間に板状で且つリング状のパッキンまたはＯリングを介在せしめているので、係合部の嵌合精度が悪くても、パッキンとかＯリングによって本体と蓋の嵌合精度は向上し、骨つぼ内部に湿気を呼ぶことは著しく軽減される。また本体と蓋とのがたつきもなくなるので、持ち運び中に誤って蓋を脱落するようなことも無い等、極めて実用的な効果を有するものである。
【考案を実施するための最良の形態】
【０００９】  本考案は、骨つぼ本体と蓋との係合部を夫々斜状とし、当該双方の係合部間に板状で且つリング状のパッキンまたはＯリングを介在せしめてなる骨つぼを呈せんとするものである。
【実施例１】
【００１０】  骨つぼ１の上端にある蓋２との係合部３を適宜の斜状とし、蓋２の本体１との係合部４も、本体１の係合部３に対応した斜状としている。５は板状で且つ本体１の係合部３に披着するリング状のパッキンで、耐腐食性、耐熱性、耐寒性を有するコルク、ゴム、プラスチック等により形成されている。コルク、ゴムについては天然のものに限らず化学合成によるものでもよい。尚、本実施例においては、骨つぼ本体１に蓋２を冠着する構造について述べているが、当該構造に限定されるものではなく、蓋２を本体１に嵌着する構造でもよい。
【実施例２】
【００１１】  骨つぼ１の上端にある蓋２との係合部３を適宜の斜状とし、蓋２の本体１との係合部４も、本体１の係合部３に対応した斜状としている。前記係合部３には溝６を設け、当該溝６に、耐腐食性、耐熱性、耐寒性を有するゴム、プラスチック等により形成されたＯリング７を装着している。
【産業上の利用可能性】
【００１２】  本考案は、骨つぼ本体１と蓋２との係合部３、４を夫々斜状とし、当該双方の係合部３、４間に板状で且つリング状のパッキン５またはＯリング７を介在せしめているので、係合部３、４の嵌合精度が悪くても、パッキン５とかＯリング７によって本体１と蓋２の嵌合精度は向上し、骨つぼ１の内部に湿気を呼ぶことは軽減される。また本体１と蓋２とのがたつきがなく持ち運び中に蓋２を脱落することが無い等、産業上での利用可能性は極めて大きいものがある。
【図面の簡単な説明】
【００１３】
【図１】  パッキンを披着した一部断面した骨つぼ
【図２】  Ｏリングを装着した一部断面した骨つぼ
【図３】  パッキン被着部の部分拡大図
【図４】  Ｏリング装着部の部分拡大図
【符号の説明】
【００１４】  １  骨つぼ本体
２  蓋
３  本体係合部
４  蓋係合部
５  パッキン
６  溝
７  Ｏリング
【図１】
0003140572.tif 000003
【図２】
0003140572.tif 000004
【図３】
0003140572.tif 000005
【図４】
0003140572.tif 000006
(57)【要約】【課題】  地下足袋の履き口の太さを調整できるようにして多様なニーズや状況に対応する。【解決手段】  履き口の合わせ面に設けた小馳と小馳を受け入れる受け糸とで構成する地下足袋における履き口の止め構造において、合わせ面に、一枚の布片の表裏に受け糸に嵌め込む第二小馳と、小馳を受け入れる第二受け糸とを形成したアタッチメントを介在させる。【選択図】  図１
0003140517.tif 000002
【実用新案登録請求の範囲】
【請求項１】
履き口の合わせ面に設けた小馳と小馳を受け入れる受け糸とで構成する地下足袋における履き口の止め構造において、合わせ面に、一枚の布片の表裏に受け糸に嵌め込む第二小馳と、小馳を受け入れる第二受け糸とを形成したアタッチメントを介在させたことを特徴とする地下足袋における履き口の止め構造。
【請求項２】
第二受け糸が地下足袋の履き口の筒径の大小方向に複数列で構成される請求項１の地下足袋における履き口の止め構造。
【請求項３】
第二小馳が受け糸から抜ける出る部分を段付きで横に幅広にしてある請求項１又は２の地下足袋における履き口の止め構造。
【考案の詳細な説明】
【技術分野】
【０００１】
本考案は、地下足袋における履き口の止め構造に関するものである。
【０００２】
祭礼や屋外作業のときに履かれる地下足袋の履き口（足首の上方（以下、足首）を挿入する部分）は、甲布の筒状の部分の後面に設けた分割部の合わせ面に上下に複数個設けられた小馳とこれを受け入れる受け糸とで構成されており、小馳を受け糸に挿入することで、足首に固定して脱げないようにしている。これにおいて、受け糸は履き口の筒径（小馳を受け糸に止めて筒状にした場合の履き口の太さ）を大小する方向にわたって複数列設けられており、これを変えることで、挿入する足首の太さに対応している。ところが、通常の足首の太さであるとこれで十分であるが、特別に足首の太い人、足首に包袋等を巻いた人、ズボンや下着を履いた人には、これでは不十分な場合がある。
【考案の開示】
【考案が解決しようとする課題】
【０００３】
本考案は、以上の課題を解決したものであり、小馳と受け糸との間にアタッチメントを介在させることで、履き口の筒径の調整範囲を更に大きくして多様なニーズや状況に対応できるようにしたものである。
【課題を解決するための手段】
【０００４】
このため、本考案は、請求項１に記載した、履き口の合わせ面に設けた小馳と小馳を受け入れる受け糸とで構成する地下足袋における履き口の止め構造において、合わせ面に、一枚の布片の表裏に受け糸に嵌め込む第二小馳と、小馳を受け入れる第二受け糸とを形成したアタッチメントを介在させたことを特徴とする地下足袋における履き口の止め構造を提供したものである。
【０００５】
そして、本発明は、以上の止め構造において、請求項２に記載した、第二受け糸が地下足袋の履き口の筒径の大小方向に複数列で構成される構成、請求項３に記載した、第二小馳が受け糸から抜ける出る部分を段付きで横に幅広にしてある構成を提供する。
【考案の効果】
【０００６】
請求項１の手段によると、アタッチメントを介在させることで履き口の筒径の調整範囲が広がる。したがって、多様なニーズや状況に対応できる。請求項２の手段によると、より調整範囲が広がるし、請求項３の手段によると、受け糸からの小馳の抜けが更に防止される。
【考案を実施するための最良の形態】
【０００７】
以下、本考案の実施の形態を図面を参照して説明する。図２は地下足袋Ａの斜視図であるが、地下足袋Ａそのものは従来と変わらず、底部１の上方を甲布部２で覆ったものであり、甲布部２の後部を分割するとともに上方に延ばし、合わせて筒状になる履き口３としている。そして、その合わせ面の一方に上下に複数個の小馳４が段状に止め付けられており、他方に各小馳４を受け入れる受け糸５が設けられている。
【０００８】
以上により、履き口３を開いて足首を挿入し、小馳４を受け糸５に挿入すると、地下足袋Ａは足首に固定される。これにおいて、受け糸５は履き口３の筒径の大小方向に複数列設けられており（本例では４列）、この列を選定することで挿入された足首の太さにきっちりと合うようにすることができる。なお、受け糸５は甲布部２に縫い付けられるものであるが、小馳４を受け入れる部分は開口している。
【０００９】
このように、受け糸５の列を選定することで、足首の太さにフィットすることになるのであるが、足首が特別に太い場合や場合によっては細い場合も存在するのは上記したとおりである。そこで、本考案のアタッチメント６を使用する。図４はアタッチメント６の斜視図であるが、アタッチメント６は一枚の布片であり、その表裏に受け糸５に挿入する第二小馳７と、小馳４が挿入される第二受け糸８とが形成されたものである。なお、この第二受け糸８も履き口３の筒径の大小方向に複数列形成されている（本例では３列であるが、これに限定されない）。
【００１０】
図１はこのアタッチメント６を合わせ面に取り付けた場合の部分斜視図であるが、これを取り付けると、一般的には、履き口３の筒径は正規のものに対して拡大するようになっている。しかし、第二小馳７を設ける位置を調整することで、縮小することも、その両方の場合も可能になる。なお、本例では、アタッチメント６は合わせ面における地下足袋Ａの小馳４や受け糸５が設けられる部分よりも小域のものになっている、これに限るものではない。
【００１１】
図３は本考案に用いる第二小馳７の平面図であるが、この第二小馳７は受け糸５から抜ける出る部分が段付きで横に幅広であるのが適する。段の部分で引っ掛かって抜け外れがより規制されるからである。特に、アタッチメント６は一枚の布片であり、一般的には、小馳４や受け糸５が設けられる部分よりも小域なものになっているから、この構成は有用なものとなる。
【図面の簡単な説明】
【００１２】
【図１】アタッチメントを履き口の合わせ面に取り付けた状態を示す地下足袋の部分斜視図である。
【図２】地下足袋の斜視図である。
【図３】アタッチメントの斜視図である。
【図４】アタッチメントに用いられる第二小馳の平面図である。
【符号の説明】
【００１３】
１      底部
２      甲板部
３      履き口
４      小馳
５      受け糸
６      アタッチメント
７      第二小馳
８      第二受け糸
【図１】
0003140517.tif 000003
【図２】
0003140517.tif 000004
【図３】
0003140517.tif 000005
【図４】
0003140517.tif 000006
(57)【要約】      （修正有）【課題】買ったり、もらったりして使いきることができない食品のショウガをいつまでも台所の一部におきざりにしたりしてくさらせる事なく経済的に使う。【解決手段】しっかり凍らせて必要に応じて使う冷凍ショウガ。温度等に影響の少ない性質のショウガを長持ちさせ、いつまでも長く良い状態に保つ。【選択図】図１
0003140563.tif 000002
【実用新案登録請求の範囲】
【請求項１】
食品のショウガを冷凍室にて凍らせる事によってしっかり凍った物をおろし機又は他の物にてすったり加工して、何回でも使用できるショウガ。
【考案の詳細な説明】
【技術分野】
【０００１】  本考案は、使いすてにしない食品のショウガに関するものである。
【背景技術】
【０００２】  もったいないと考えた時に、使い方が上手にできない場合など過剰に入れすぎて味が変わってしまい失敗作になったり残ったショウガをゴミにしていた。
【考案が解決しようとす課題】
【０００３】  残ったショウガは、ゴミになると経済的負担も大きくもったいないとよく感じるものである。残ったショウガをすてる事なく経済的負担が少さくなり前述の欠点を解決しようとするものである。
【課題を解決するための手段】
【０００４】  食品のショウガを凍らす事により、くさってしまう事をさけたり、上手にかたずかず、いつまでも気になる状態を解決している。
【考案の効果】
【０００５】  ショウガを凍らせたので、くさる事をさけることができ、何回でも使用できる事に役立つ。
【考案の実施するための最良の形態】
【０００６】  使いたいだけのショウガをすりおろして不要になったショウガを再び冷凍室にもどして凍らせてやれば何回でも新鮮な状態で使う事ができる。
【実施例】
【０００７】  買ったりもらったりした新鮮な状態のものはあまり関係ないが、１回使って残ったショウガを２回以降、同じショウガを使う場合、凍らせた状態と、凍らせない状態では、全然違うのである。
【図面の簡単な説明】
【０００８】  冷凍室にて凍らせたショウガをすりおろした状態のものである。
0003140563.tif 000003
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
とれた物を凍らせて長持ちさせた冷凍ショウガ
記載例にある、ハンガーにカギを付ける事によって盗難防止にした物と考えた場合、凍らせる事によって長持ちさせる物とした場合、実用新案でよいと考える．
【手続補正２】
【補正対象書類名】明細書
【補正対象項目名】０００８
【補正方法】変更
【補正の内容】
【図面の簡単な説明】
【０００８】
【図１】  しっかり凍らせたショウガをすりおろした状態のものである．
【図２】  しっかり凍った状態のショウガである．
【手続補正３】
【補正対象書類名】図面
【補正対象項目名】全図
【補正方法】変更
【補正の内容】
【図１】
0003140563.tif 000004
【図２】
0003140563.tif 000005
【手続補正書】
【提出日】平成19年8月17日(2007.8.17)
【手続補正１】
【補正対象書類名】実用新案登録請求の範囲
【補正対象項目名】全文
【補正方法】変更
【補正の内容】
【実用新案登録請求の範囲】
【請求項１】
・請求項１の末尾の記載が「…実用新案でよいと考える。」となっており、実用新案法における保護対象である物品がどうかを特定することが出来ません。
（請求項の末尾実用新案法の保護対象である物品として特定できるように記載して下さい。）
凍らせた状態のショウガは形をくずす事なく、形をくずされなくいつまでも長持ちします。
・実用新案法による保護の対象たる「考案」は物品の形状、構造または組合せに係るもの」と定義されております。請求項１の記載のみでは、物品としての形状、構造が特定されていないため、実用新案法による保護の対象に含まれるとは認められません。
（考案の詳細な説明又は図面の記載を基に、「ショウガ」の具体的な形状・構造を明確にすることを御検討下さい。）
ショウガの場合は凍った温度になっても影響されず性質が変化しにくいのです。
・請求項１の「記載例にある、…実用新案でよいと考える。」という記載は、「ショウガ」の構成を意味しているのかどうかが明確ではなく、その意味が不明確です。
くふうを加えたハンガーに対して、冷凍でない物を冷凍させたショウガである。
・請求項１の「とれた物を凍らせて長持ちさせた」との記載は、方法的表現による機能のみの記載であり、考案を特定するために必要な物品としての構成が実質的に記載されていません。考案の詳細な説明又は図面の記載を基に、実用新案登録を受けようとする考案に係る物品の具体的構成（形状、構造又は組合せ）を文章で請求項に記載して下さい。
他の物とは違いショウガは凍らせる事によりくり返して使う事ができ長持が効くのです。冷凍させる事により全く違う長持ちをえられます。くさってだめにならないのです。
【手続補正書】
【提出日】平成19年12月7日(2007.12.7)
【手続補正１】
【補正対象書類名】実用新案登録請求の範囲
【補正対象項目名】全文
【補正方法】変更
【補正の内容】
【実用新案登録請求の範囲】
【請求項１】
温度等に影響の少ない性質のショウガを長持ちさせいつまでも長く良い状態を保つため、しっかり凍らせて必要に応じて使う冷凍ショウガ
(57)【要約】【課題】  本考案は身体障害者が衣類等をハンガーに掛ける時不自由である。【解決手段】  本考案はハンガー本体を閉じた状態から、ワンタッチでハンガー本体を開く事が出来、身体障害者が手元に於いて衣類等を簡単に設置し、ワンタッチボタンによってハンガー本体を開くことにより、簡単に衣類等を竿又は、紐状の物に掛けることが出来る。【選択図】図１
0003140570.tif 000002
【実用新案登録請求の範囲】
【請求項１】
ハンガー本体に柄を設け、当該柄の部分にワンタッチボタンを設けるとともに、柄の上部にスライド式留め具を設け、留め具と本体との間に骨にて接合させ、当該本体を開閉自在としたところを特徴とするワンタッチ式オープンハンガー。
【考案の詳細な説明】
【技術分野】
【０００１】  本考案は、ハンガーをワンタッチに開く事の出来るハンガーに関するものである。
【背景技術】
【０００２】  身体障害者が衣服等を掛ける場合、片手にてハンガーに掛け、そのままワンタンチでハンガーを開き、竿又は、紐状の物に車椅子使用の身体障害者も簡単に掛けることが出来る。
【考案が解決しようとす課題】
【０００３】  現状のハンガーは、身体障害者にとって竿又は、紐状の物に掛けた後に衣服を掛ける事は難しい。該ハンガーにより簡単に身体障害者は衣服等を掛けることが出来る。
【課題を解決するための手段】
【０００４】  本考案は、ワンタンチ式オープンハンガーにより身体障害者は、簡単に衣服等を掛けることが出来る。
【考案の効果】
【０００５】  上述のように、本考案は身体障害者が衣服等を簡単に掛けることが出来る。
【考案を実施するための最良の形態】
【０００６】  柄の部分にワンタッチボタンを設け、ハンガー本体をオープンさせ通常のハンガーとする。
【実施例】
【０００７】  以下、添付図面に従って実施例を説明する。
【図面の簡単な説明】
【０００８】
【図１】本考案のワンタッチ式オープンハンガーの開放時正面図である。
【図２】本体のワンタッチ式オープンハンガーの閉鎖時の図である。
【符号の説明】
【０００９】１  フック
２  本体
３  スライド式留め具
４  柄
５  ワンタッチボタン
６  骨
【図１】
0003140570.tif 000003
【図２】
0003140570.tif 000004
(57)【要約】      （修正有）【課題】職業経験のない学生が、それまでの学校生活、社会生活の体験から、自分の性格特性や適性を分析し、主体的に職業、進路を選択する能力を育成するキャリア教育用学習教材を提供する。【解決手段】学生に日常生活の中で行う具体的な行動を記載したカードを選択させることで、「積極的に社会との関係を持つか否か」「自らの意志で行動するか、周囲の評価により行動するか」を軸とした６つのタイプに分類、タイプ別の性格特性や、適性の高いと考えられる職業、進路などの情報を提供する。カード型教材の形態をとることにより、その場で速やかに自己診断できるとともに、自分の選択したカードを吟味し、その意思決定の過程を自己分析することを可能にした。【選択図】図２
0003140562.tif 000002
【実用新案登録請求の範囲】
【請求項１】
名刺程度の大きさの１００枚のカードの、表面に学生（中学生、高校生、大学生等、以後学生）が日常生活の中で行う具体的な１００種類の行動を１つずつ記載、裏面に表面の行動から導き出される性格のタイプを記載したキャリア教育用カード式教材。
【請求項２】
表面に、学生を「積極的に社会との関係を持つか否か」「自らの意志で行動するか、周囲の評価により行動するか」で分類した６つのタイプの名称とカードの枚数を集計するための欄を、裏面に各タイプの解説を記載した紙製の分類シートでカードを分類する請求項１記載のキャリア教育用カード式教材。
【請求項３】
カード１００枚の中から自分に当てはまるものを選択させ、それを分類シートを使って整理することにより、性格や適性、関連の深い職業などを知ることができる請求項１又は２記載のキャリア教育用カード式教材。
【考案の詳細な説明】
【技術分野】
【０００１】本考案は、カードを使って簡単な作業で自己の特性、適性を把握し、主体的な職業、進路を選択するためのキャリア教育用学習教材に関する。
【背景技術】
【０００２】従来の技術としては、職業適性検査や適職診断テスト（代表例：株式会社日本マンパワーＣＰＳ−Ｊ）があります。
【考案の開示】
【考案が解決しようとする課題】
【０００３】従来の技術は、検査の形態をとっているため、受検時から一定期間をおいて検査結果が返却され、また、多くの場合、受検時にどのような回答をしたかも非公開のため、受検者は、自分の意思決定と検査結果の因果関係がわからず、その意思決定の思考過程を、その後の進路決定に活かすことができない。【０００４】従来の検査の質問項目は、職業観や価値観を問うもので構成されており、職業経験のない学生が受検者になる場合、根拠ある判断ができないことがある。
【課題を解決するための手段】
【０００５】名刺程度の大きさの１００枚のカードの、表面に学生（中学生、高校生、大学生等、以後学生）が日常生活の中で行う具体的な１００種類の行動を１つずつ記載、裏面に表面の行動から導き出される性格のタイプを記載したキャリア教育用カード式教材を使用。【０００６】表面に、学生を「積極的に社会との関係を持つか否か」「自らの意志で行動するか、周囲の評価により行動するか」で分類した６つのタイプの名称とカードの枚数を集計するための欄を、裏面に各タイプの解説を記載した紙製の分類シートでカードを分類する。【０００７】カード１００枚の中から表面に記載された行動が自分に当てはまるものを選択させ、分類シートを使って選択したカードを裏面に記載されたタイプ別に整理、最もカードの枚数が多かったタイプが自分のタイプとなり、シート裏面の解説で性格や適性、関連の深い職業などを知ることができる。
【考案の効果】
【０００８】本考案は、従来の技術のような検査ではなく、カード型教材の形態をとることにより、自分の性格特性や適性をその場で速やかに自己診断できるとともに、自分の選択したカードを吟味し、その意思決定の過程を自己分析することを可能にした。【０００９】本考案は、質問項目を日常生活の中で行う具体的な行動に絞ることにより、職業経験のない学生でも、自分の体験を振り返り、根拠のある判断が可能にした。
【考案を実施するための最良の形態】
【００１０】学校等で、学生の状況を把握している講師により使用されることが最も望ましい。
【実施例】
【００１１】学生は、カード（１）１００枚を、表面の行動例を読み、当てはまるか否かによって２つに分ける。その後、当てはまると選択したカードの裏面に記載したタイプ表記を分類シート（２）を使って集計する。最も多かったタイプを当該学生のタイプとする。学生は分類シート（２）に記載された性格特性と自身の自己診断を比較、共感した部分や違和感のある部分を分析し、自分自身を再評価する。
【図面の簡単な説明】
【００１２】
【図１】カード（１）。表面に日常生活の中で行う具体的な行動を、裏面にその行動をとる人物が該当すると考えられるタイプを記載した１００枚のカード。
【図２】分類シート（２）。カードの集計に使用、裏面に各タイプの性格特性、職業適性などの解説を記載。
【図１】
0003140562.tif 000003
【図２】
0003140562.tif 000004
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
名刺程度の大きさの１００枚のカードの、表面に学生（中学生、高校生、大学生等、以後学生）が日常生活の中で行う具体的な１００種類の行動を１つずつ記載、裏面に表面の行動から導き出される性格のタイプを記載し、使用者が該当するカードを選択することで自分の性格、適性、適した職業を診断できるキャリア教育用カード式教材。
【請求項２】
表面に、学生を「積極的に社会との関係を持つか否か」「自らの意志で行動するか、周囲の評価により行動するか」で分類した６つのタイプの名称とカードの枚数を集計するための欄を、裏面に各タイプの解説を記載した紙製のシートでカードを分類することにより、特別な機材を使わず自己診断できる請求項１記載のキャリア教育用カード式教材。
【請求項３】
カード１００枚の中から自分に当てはまるものを選択させ、選択したカードを分類シートを使って整理することにより、その場で速やかに性格や適性、適した職業などを知ることができる請求項１又は２記載のキャリア教育用カード式教材。
【手続補正書】
【提出日】平成19年12月7日(2007.12.7)
【手続補正１】
【補正対象書類名】図面
【補正対象項目名】図２
【補正方法】変更
【補正の内容】
【図２】
0003140562.tif 000005
(57)【要約】      （修正有）【課題】ポリ袋の表面と裏面の材質を変え、野菜を入りよくする。また、機械式にポリ袋多数枚セットして自動的に作業できる袋にする。【解決手段】野菜収納ポリ袋において片方の面の材質は野菜の滑りよいポリ系半透明材ＨＤ−ＰＥ材質とその他の面の材質はポリ形透明材ＬＬ−ＰＥ材質を使って作る野菜収納ポリ袋。該野菜収納ポリ袋の片方の上部に取付穴３と切取りミシン目４を加工して自動機に多数枚セットして使用する野菜収納ポリ袋。【選択図】図２
0003140566.tif 000002
【実用新案登録請求の範囲】
【請求項１】
野菜を入れるポリ袋裏面１の材質は野菜がすべりよい材質のポリ系半トーメー材ＨＤ−ＰＥ材質と表面２ポリ系トーメー材ＬＬ−ＰＥ材質を使って袋を作る  裏面１の上部に取付穴３を２ヶ所と切取ミシン目４を加工して自動機にポリ袋を多数枚セットして野菜を自動的にポリ袋に入れる事ができる事を特徴とする野菜入れるポリ袋。
【考案の詳細な説明】
【技術分野】
【０００１】野菜小売り販売するのにポリ袋に入れて販売している。
【背景技術】
【０００２】従来は野菜を全てポリ袋に入れて販売していますが、白ネギは長さが長いのでポリ袋入れが大変で、大型の包装機を使って農協などで袋入れしています。農家では白ネギをポリ袋に入れることが従来は手軽にできない。
【考案の開示】
【考案解決しようとする課題】
【０００３】ポリ袋の表面が透明でないと商品がよく見えないので、透明材を使う。
裏面に野菜、白ネギまたナスなど、従来のポリ袋だと入れられないので、裏面の材質は滑りの良い材質にして、野菜白ネギが入りよい袋を作ること。
【課題を解決するための手段】
【０００４】ポリ袋の表面と裏面の材質を変え、野菜を入りよくする。また、機械にポリ袋多数枚セットして自動的に作業できる袋にする。
【考案の効果】
【０００５】従来は白ネギをポリ袋に入る事が出来なかったが、考案のポリ袋により、楽にポリ袋に入れる事ができた。またナス、ピーマンなども従来よりポリ袋に入れる作業が楽になり能率も向上した。
【実施例】
【０００６】考案のポリ袋を機械に多数枚セットして、従来ポリ袋に入れる事ができなかった白ネギも楽に入れる事ができ、またナスピーマンも手軽に入れる事が出来るようになりました。
【図面の簡単な説明】
【０００７】
【図１】  ポリ袋の加工図
【図２】  野菜をポリ袋に入れた図
【符号の説明】
【０００８】  （１）  ポリ袋の裏面
（２）  ポリ袋の表面
（３）  取付穴
（４）  切取ミシン目
【図１】
0003140566.tif 000003
【図２】
0003140566.tif 000004
【手続補正書】
【提出日】平成19年10月18日(2007.10.18)
【手続補正１】
【補正対象書類名】実用新案登録請求の範囲
【補正対象項目名】全文
【補正方法】変更
【補正の内容】
【実用新案登録請求の範囲】
【請求項１】
野菜収納ポリ袋において片方の面１の材質は野菜の滑りよりポリ系半透明材ＨＤ−ＰＥ材質と他の面２の材質はポリ系透明材ＬＬ−ＰＥ材質を使って作ることを特徴とする野菜収納ポリ袋。
【請求項２】
野菜収納ポリ袋の片方１の上部に取付穴３と切取りミシン目４を加工して自動機に多数枚セットして使用することが出来ること特徴する請求項１の記載の野菜収納ポリ袋。
【手続補正書】
【提出日】平成19年12月18日(2007.12.18)
【手続補正１】
【補正対象書類名】実用新案登録請求の範囲
【補正対象項目名】全文
【補正方法】変更
【補正の内容】
【実用新案登録請求の範囲】
【請求項１】
野菜収納ポリ袋において片方の面１の材質は野菜の滑りよいポリ系半透明材ＨＤ−ＰＥ材質と他の面２の材質はポリ系透明材ＬＬ−ＰＥ材質を使って作ることを特徴とする野菜収納ポリ袋。
【請求項２】
野菜収納ポリ袋の片方１の上部に取付穴３と切取りミシン目４を加工して自動機に多数枚セットして使用することが出来ること特徴する請求項１の記載の野菜収納ポリ袋。